Podtech/llm-jp-corpus-v4-ja_patent huggingface dataset:
【手続補正書】
【提出日】平成30年4月12日(2018.4.12)
【手続補正１】
【補正対象書類名】特許請求の範囲
【補正対象項目名】全文
【補正方法】変更
【補正の内容】
【特許請求の範囲】
【請求項１】
対象における頭痛を治療し、またはその発生を減少させるためのカルシトニン遺伝子関連ペプチド（ＣＧＲＰ）経路を阻害するモノクローナル抗体を含む組成物であって、前記組成物は、毎月の用量で、前記対象に投与され、前記毎月の用量で投与されるモノクローナル抗体の量は、１００〜９００ｍｇであり、前記モノクローナル抗体は、配列番号３で示されるＣＤＲ  Ｈ１、配列番号４で示されるＣＤＲ  Ｈ２、配列番号５で示されるＣＤＲ  Ｈ３、配列番号６で示されるＣＤＲ  Ｌ１、配列番号７で示されるＣＤＲ  Ｌ２、及び配列番号８で示されるＣＤＲ  Ｌ３を含む、組成物。
【請求項２】
前記頭痛が片頭痛である、請求項１に記載の組成物。
【請求項３】
前記片頭痛が慢性片頭痛である、請求項２に記載の組成物。
【請求項４】
前記片頭痛が反復性片頭痛である、請求項２に記載の組成物。
【請求項５】
前記頭痛の発生が、単回投与後少なくとも７日間減少する、請求項１に記載の組成物。
【請求項６】
前記投与後に前記対象が経験する１ヶ月の頭痛時間が、前記対象における投与前のレベルから４０時間以上減少する、請求項１に記載の組成物。
【請求項７】
前記投与後に前記対象が経験する１ヶ月の頭痛日が、前記対象における投与前のレベルから３日以上減少する、請求項１に記載の組成物。
【請求項８】
前記投与後に前記対象が経験する１ヶ月の頭痛時間が、前記対象における投与前のレベルと比較して２５％以上減少する、請求項１に記載の組成物。
【請求項９】
第１の月に投与される前記モノクローナル抗体の前記量が、第２の月に投与される前記モノクローナル抗体の前記量と異なる、請求項１に記載の組成物。
【請求項１０】
第１の月に投与される前記モノクローナル抗体の前記量が、前記第２の月に投与される前記モノクローナル抗体の前記量よりも多い、請求項９に記載の組成物。
【請求項１１】
皮下または静脈内投与される、請求項１に記載の組成物。
【請求項１２】
前記量のモノクローナル抗体を含むプレフィルドシリンジを用いて投与される、請求項１に記載の組成物。
【請求項１３】
前記モノクローナル抗体が、少なくとも１５０ｍｇ／ｍＬの濃度で配合される、請求項１に記載の組成物。
【請求項１４】
前記モノクローナル抗体が２ｍＬ未満の体積で投与される、請求項１に記載の組成物。
【請求項１５】
前記モノクローナル抗体を含む組成物が、第２の作用物質と同時にまたは連続的に、前記対象に投与される、請求項１に記載の組成物。
【請求項１６】
前記第２の作用物質が、５−ＨＴ１アゴニスト、トリプタン、麦角アルカロイド及び非ステロイド性抗炎症薬からなる群から選択される、請求項１５に記載の組成物。
【請求項１７】
前記モノクローナル抗体の投与後、前記対象による前記第２の作用物質の月間使用が少なくとも１５％減少する、請求項１５に記載の組成物。
【請求項１８】
前記第２の作用物質がトリプタンである、請求項１５に記載の組成物。
【請求項１９】
前記対象がヒトである、請求項１に記載の組成物。
【請求項２０】
前記モノクローナル抗体がヒトまたはヒト化抗体である、請求項１に記載の組成物。
【手続補正書】
【提出日】平成30年4月9日(2018.4.9)
【手続補正１】
【補正対象書類名】特許請求の範囲
【補正対象項目名】全文
【補正方法】変更
【補正の内容】
【特許請求の範囲】
【請求項１】
式Ｉ：
【化１】
2017510661.tif 000001
Ｉ
［式中：
Ｒ１は、ＣＨ３、またはＣＨ２ＣＨ３であり、
Ｒ２は、ＨまたはＣＨ３であり、
Ｒ３は、ＨまたはＮＨ２であり、そして
ｎは、１または２である］
で示される構造を有する化合物またはその医薬的に許容される塩。
【請求項２】
ｎが、１であり、Ｒ１が、メチルであり、Ｒ２が、メチルであり、そしてＲ３が、ＮＨ２である、請求項１に記載の化合物。
【請求項３】
式（Ｉｉ）
【化２】
2017510661.tif 000002
（Ｉｉ）；
式（Ｉｉｉ）
【化３】
2017510661.tif 000003
（Ｉｉｉ）；
式（Ｉｉｉｉ）
【化４】
2017510661.tif 000004
（Ｉｉｉｉ）；
式（Ｉｉｖ）
【化５】
2017510661.tif 000005
（Ｉｉｖ）；
式（Ｉｖ）
【化６】
2017510661.tif 000006
（Ｉｖ）；または
式（Ｉｖｉ）
【化７】
2017510661.tif 000007
（Ｉｖｉ）
で示される化合物。
【請求項４】
式ＩＩ
【化８】
2017510661.tif 000008
（ＩＩ）
［式中：
Ｒ１は、ＣＨ３、またはＣＨ２ＣＨ３であり、
Ｒ２は、ＨまたはＣＨ３であり、
Ｒ４は、ＣＨ３、（ＣＨ２）４ＮＨ２、または（ＣＨ２）３ＮＨＣ（＝Ｏ）ＮＨ２であり、
Ｒ５は、Ｈ、またはＣ（ＣＨ３）（ＣＨ３）であり、
Ｒ６は、ＮＨＣ（＝Ｏ）、またはＣＨ２であり、
ｎは、１または２であり；そして
ｍは、０、１、２、または３である］
で示される構造を有する化合物またはその医薬的に許容される塩。
【請求項５】
ｎが１であり、Ｒ１がメチルであり、Ｒ２がメチルであり、そしてＲ３がＮＨ２である、請求項４に記載の化合物。
【請求項６】
ｎが、１であり、ｍが、１であり、Ｒ１が、メチルであり、Ｒ２が、メチルであり、Ｒ３が、ＮＨ２であり、Ｒ４が、（ＣＨ２）４ＮＨ２であり、Ｒ５が、Ｈであり、そしてＲ６が、ＣＨ２である、請求項４に記載の化合物。
【請求項７】
式（ＩＩｉ）
【化９】
2017510661.tif 000009
（ＩＩｉ）；
式（ＩＩｉｉ）
【化１０】
2017510661.tif 000010
（ＩＩｉｉ）；
式（ＩＩｉｉｉ）
【化１１】
2017510661.tif 000011
（ＩＩｉｉｉ）；または
式（ＩＩｉｖ）
【化１２】
2017510661.tif 000012
（ＩＩｉｖ）
で示される化合物。
【請求項８】
請求項４〜７のいずれか１項に記載の化合物の複合体である、抗体薬物複合体。
【請求項９】
前記抗体が、モノクローナル抗体である、請求項８に記載の抗体薬物複合体。
【請求項１０】
前記抗体が、癌抗原に特異的である、請求項８または９に記載の抗体薬物複合体。
【請求項１１】
前記抗体が、アレムツズマブ、ベバシズマブ、ブレンツキシマブ、セツキシマブ、ゲムツズマブ、イピリムマブ、オファツムマブ、パニツムマブ、リツキシマブ、トシツモマブ、またはトラスツズマブである、請求項８〜１０のいずれか１項に記載の抗体薬物複合体。
【請求項１２】
（ｉ）請求項１〜７のいずれか１項に記載の化合物；または
（ｉｉ）請求項８〜１１のいずれか１項に記載の抗体薬物複合体
を含む、医薬組成物。
【請求項１３】
癌を治療するための、請求項１〜７のいずれか１項に記載の化合物の使用。
【請求項１４】
癌を治療するための、請求項８〜１１のいずれか１項に記載の抗体薬物複合体の使用。
【請求項１５】
前記対象が、扁平上皮癌、小細胞肺癌、非小細胞肺癌、胃腸癌、ホジキンリンパ腫、非ホジキンリンパ腫、膵臓癌、神経膠芽腫、神経膠腫、子宮頚癌、卵巣癌、肝臓癌、膀胱癌、乳癌、大腸癌、結腸直腸癌、子宮体癌、骨髄腫、唾液腺癌、腎臓癌、基底細胞癌、メラノーマ、前立腺癌、外陰癌、甲状腺癌、精巣癌、食道腺癌、頭頚部癌、粘膜性卵巣癌、胆管細胞癌、または腎乳頭癌である、請求項１３または１４に記載の使用。
【手続補正書】
【提出日】平成30年4月10日(2018.4.10)
【手続補正１】
【補正対象書類名】特許請求の範囲
【補正対象項目名】全文
【補正方法】変更
【補正の内容】
【特許請求の範囲】
【請求項１】
非イオン性ポロクサマー界面活性剤中のポリメチルシロキサンのエマルションから選択される持続性薬中にフッ化第一スズとカルシウムとを含有する無水のエナメル質保護及びエナメル質修復練り歯磨きであって、
(a)エナメル質上に存在するバイオフィルムへの前記フッ化第一スズとカルシウムとの持続性が、フッ化第一スズの存在下でカルシウム結合の二座から単座へのシフトを通じて増強され；
(b)バイオフィルムが存在するエナメル質表面上への前記練り歯磨きの定期的投与によって、それぞれ少なくとも約2.5及び200のEPF及びERF値が達成され；
(c)フッ化第一スズは900〜1150ppmの量で存在し；
(d)練り歯磨きは3〜5.8のpHを有し；
(e)カルシウム含量が0.5〜5.0％であり；
(f)カルシウムが、フマル酸カルシウム、硫酸カルシウム、グルコン酸カルシウム、並びに、メチル/ビニル/エーテル/マレイン酸コポリマーの混合カルシウム及びナトリウム塩の１つ以上から選択される、
練り歯磨き。
【請求項２】
前記フッ化第一スズとカルシウムの一部がCaF+として存在する、請求項１に記載の練り歯磨き。
【請求項３】
前記持続性薬が、直鎖状ポリマーポリカルボキシラート持続性向上剤を含有する、請求項１に記載の練り歯磨き。
【請求項４】
非イオン性界面活性剤連続相中の不連続相として約10,000cs〜約250万csの粘度のポリジメチルシロキサンポリマーのエマルションを含む持続性薬中にフッ化第一スズとカルシウムとを含有する、請求項３に記載の練り歯磨き。
【請求項５】
前記練り歯磨きに適した非イオン性ポロクサマー界面活性剤が下記構造式：
HO[(C2H4O)x/(C3H6O)y]-[C3H6O]z-[(C2H4O)x/(C3H6O)y]H
（式中、x、y及びzの合計は125〜175である）
によって表される、請求項４に記載の練り歯磨き。
【請求項６】
前記練り歯磨きに適した非イオン性界面活性剤が下記構造式：
HO[(C2H4O)x/(C3H6O)y]-[C3H6O]z-[(C2H4O)x/(C3H6O)y]H
（式中、x=76、y=25及びz=56）
によって表される、請求項３に記載の練り歯磨き。
【請求項７】
未反応のカルシウム及びホスファート成分を含有する、請求項１に記載の練り歯磨き。
【請求項８】
直鎖状ポリマーポリカルボキシラート持続性向上剤を含有する非イオン性ポロクサマー界面活性剤連続相中の不連続相として約10,000cs〜約250万csの粘度のポリジメチルシロキサンポリマーのエマルションを含む持続性薬中にフッ化第一スズとカルシウムとを含有する無水のエナメル質保護及びエナメル質修復練り歯磨きであって、
前記非イオン性界面活性剤が、下記一般構造式：
HO[(C2H4O)x/(C3H6O)y]-[C3H6O]z-[(C2H4O)x/(C3H6O)y]H
（式中、x、y及びzの合計は125〜175である）
を有する界面活性剤から成る群より選択される界面活性剤であり；
少なくとも2.5のEPF及び少なくとも200のERFを有し；
エナメル質上に存在するバイオフィルムへの前記フッ化第一スズとカルシウムとの持続性が、フッ化第一スズの存在下でカルシウム結合の二座から単座へのシフトを通じて増強され；
フッ化第一スズは900〜1150ppmの量で存在し；
練り歯磨きは3〜5.8のpHを有し；
カルシウムが、フマル酸カルシウム、硫酸カルシウム、グルコン酸カルシウム、並びに、メチル/ビニル/エーテル/マレイン酸コポリマーの混合ナトリウム及びカルシウム塩の１つ以上に限定され；かつ
カルシウム含量が0.5〜5.0％である、
練り歯磨き。
【請求項９】
前記練り歯磨きに適した非イオン性ポロクサマー界面活性剤が下記構造式：
HO[(C2H4O)x/(C3H6O)y]-[C3H6O]z-[(C2H4O)x/(C3H6O)y]H
（式中、x、y及びzの合計は125〜150である）
によって表される、請求項８に記載の練り歯磨き。
【請求項１０】
前記練り歯磨きに適した非イオン性ポロクサマー界面活性剤が下記構造式：
HO[(C2H4O)x/(C3H6O)y]-[C3H6O]z-[(C2H4O)x/(C3H6O)y]H
（式中、x=76、y=0及びz=56）
によって表される、請求項８に記載の練り歯磨き。
【請求項１１】
未反応のカルシウム及びホスファート成分を含有する、請求項８に記載の練り歯磨き。
【請求項１２】
前記ポリジメチルシロキサンポリマー不連続相が前記エマルションの最大20%を占める、請求項５に記載の練り歯磨き。
【請求項１３】
前記フッ化第一スズが、前記持続性薬から放出されると、エナメル質上に存在する前記バイオフィルムへの前記カルシウム単座結合の存在下でCaF+成分を包含する、請求項１に記載の練り歯磨き。
【請求項１４】
前記練り歯磨きのpHが、バイオフィルムを有するエナメル質への投与時に、少なくとも約3である、請求項１に記載の練り歯磨き。
【請求項１５】
前記持続性薬及び前記持続性向上剤のレベルが、それぞれ約0.5〜約5wt.%及び約0.1〜約3wt.%である、請求項３に記載の練り歯磨き。
【請求項１６】
前記持続性向上剤が下記構造式：
【化１】
2017510617.tif 000001
（式中、mは、約60,000〜約1,000,000の質量をもたらす整数である）
を有する、請求項３に記載の練り歯磨き。
【請求項１７】
ポリジメチルシロキサンの濃度が、前記エマルションの約20wt.%までである、請求項８に記載の練り歯磨き。
【請求項１８】
未反応カルシウム及びホスファート成分の比率が約2〜約1であり、前記練り歯磨きのカルシウムとホスファートの混合物のレベルが約0.2%〜約3%の範囲である、請求項１１に記載の練り歯磨き。
【請求項１９】
前記エマルション持続性薬が、前記練り歯磨きの約0.5〜約3.0wt.パーセントを占め、前記コポリマー持続性薬が、前記練り歯磨きの約0.5〜約2.8wt.パーセントを占める、請求項１１に記載の練り歯磨き。
【請求項２０】
前記練り歯磨きのpHが、唾液にさらされると、約4〜約8となる、請求項１１に記載の練り歯磨き。
【手続補正書】
【提出日】平成30年4月10日(2018.4.10)
【手続補正１】
【補正対象書類名】特許請求の範囲
【補正対象項目名】全文
【補正方法】変更
【補正の内容】
【特許請求の範囲】
【請求項１】
持続性薬中にフッ化第一スズとカルシウムとを含有する実質的に無水のエナメル質保護及びエナメル質修復歯磨きゲルであって、前記持続性薬は固形及び液状の非イオン性ポロクサマー並びにその組み合わせから選択され、
(a)エナメル質上に存在するバイオフィルムへの前記フッ化第一スズとカルシウムとの持続性が、フッ化第一スズの存在下でカルシウム結合の二座から単座へのシフトを通じて増強され；
(b)バイオフィルムが存在するエナメル質表面上への前記歯磨きゲルの定期的投与によって、それぞれ少なくとも約2.5及び200のEPF及びERF値が達成され；
(c)フッ化第一スズは400〜1100ppmの量で存在し；
(d)歯磨きゲルは3〜5.8のpHを有し；
(e)カルシウム含量が0.5〜5.0％であり；
(f)カルシウムが、フマル酸カルシウム、硫酸カルシウム、グルコン酸カルシウム、並びに、メチル/ビニル/エーテル/マレイン酸コポリマーの混合ナトリウム及びカルシウム塩の１つ以上に限定される、
歯磨きゲル。
【請求項２】
前記フッ化第一スズの一部がCaF+として存在する、請求項１に記載の歯磨きゲル。
【請求項３】
前記持続性薬が、直鎖状ポリマーポリカルボキシラート持続性向上剤を含有する、請求項１に記載の歯磨きゲル。
【請求項４】
非イオン性液状界面活性剤連続相中の不連続相として約10,000cs〜約250万csの粘度のポリジメチルシロキサンポリマーのエマルションを含む持続性薬中にフッ化第一スズとカルシウムとを含有する、請求項３に記載の歯磨きゲル。
【請求項５】
前記歯磨きゲルに適した非イオン性液状ポロクサマー界面活性剤が下記構造式：
HO[(C2H4O)x/(C3H6O)y]-[C3H6O]z-[(C2H4O)x/(C3H6O)y]H
（式中、x、y及びzの合計は125〜175である）
によって表される、請求項４に記載の歯磨きゲル。
【請求項６】
前記歯磨きゲルに適した非イオン性液状界面活性剤が下記構造式：
HO[(C2H4O)x/(C3H6O)y]-[C3H6O]z-[(C2H4O)x/(C3H6O)y]H
（式中、x=76、y=25及びz=56）
によって表される、請求項３に記載の歯磨きゲル。
【請求項７】
未反応のカルシウム及びホスファート成分を含有する、請求項１に記載の歯磨きゲル。
【請求項８】
前記歯磨きゲルに適した非イオン性固形ポロクサマー界面活性剤が下記構造式：
HO[(C2H4O)x/(C3H6O)y]-[C3H6O]z-[(C2H4O)x/(C3H6O)y]H
（式中、x、y及びzの合計は120〜150である）
によって表される、請求項１に記載の歯磨きゲル。
【請求項９】
前記ポリジメチルシロキサンポリマー不連続相が前記エマルションの最大40%を占める、請求項１〜７のいずれか１項に記載の歯磨きゲル。
【請求項１０】
前記フッ化第一スズが、前記持続性薬から放出されると、エナメル質上に存在する前記バイオフィルムへの前記カルシウム単座結合の存在下でCaF+成分を包含する、請求項１に記載の歯磨きゲル。
【請求項１１】
前記歯磨きゲルのpHが、バイオフィルムを有するエナメル質への投与時に、少なくとも約3である、請求項１に記載の歯磨きゲル。
【請求項１２】
前記持続性薬及び前記持続性向上剤のレベルが、それぞれ約0.5〜約5wt.%及び約0.1〜約3wt.%である、請求項３に記載の歯磨きゲル。
【請求項１３】
前記EPF及びERF値が、約380〜約1070の範囲である、請求項１に記載の歯磨きゲル。
【請求項１４】
前記持続性向上剤が下記構造式：
【化１】
2017510618.tif 000001
（式中、mは、約60,000〜約1,000,000の質量をもたらす整数である）
を有する、請求項３に記載の歯磨きゲル。
【請求項１５】
免疫不全、癌治療、糖尿病、COP、粘膜炎及び心血管系患者を含めた「危険な状態にある」患者のエナメル質の処置のための請求項１〜９のいずれか１項に記載の歯磨きゲルであって、
少なくとも約2.5のEPF値及び少なくとも約200のERF値を達成するのに十分な頻度で投与される、歯磨きゲル。
【請求項１６】
少なくとも約2.5のEPF値及び少なくとも約200のERF値を達成するのに十分な頻度で、2分間まで投与した後に吐き出させる、請求項１５に記載の歯磨きゲル。
【請求項１７】
(a)必要に応じて1日中、及び(b)就寝前に投与し、それによって少なくとも約2.5のEPF値及び少なくとも約200のERF値を確立する、請求項１５に記載の歯磨きゲル。
【請求項１８】
バイオフィルム被覆エナメル質に対して持続的な持続性薬中に安定フッ化第一スズとカルシウムとを含有する実質的に無水のエナメル質保護及びエナメル質修復歯磨きゲルであって、前記持続性薬は固形及び液状の非イオン性ポロクサマー並びにその組み合わせから選択され、
(a)前記フッ化第一スズとカルシウムの前記バイオフィルムへの持続性が、持続性向上剤と、安定フッ化第一スズの存在下でのカルシウムの二座結合から単座結合へのシフトとによって増強され；
(b)前記フッ化第一スズが、前記持続性薬から放出されると、成分CaF+に変換し、少なくとも約2.5のEPF値及び少なくとも約200のERF値を達成し；
(c)フッ化第一スズは400〜1100ppmの量で存在し；
(d)歯磨きゲルは3〜5.8のpHを有し；
(e)カルシウム含量が0.5〜5.0％であり；
(f)カルシウムが、フマル酸カルシウム、硫酸カルシウム、グルコン酸カルシウム、並びに、メチル/ビニル/エーテル/マレイン酸コポリマーの混合ナトリウム及びカルシウム塩の１つ以上に限定される、
歯磨きゲル。
【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
ジーゼル基燃料および少なくとも一種のジヘテロシクロジアゼンジカルボキサミドを含む組成物。
【請求項２】
前記ジヘテロシクロジアゼンジカルボキサミドのヘテロシクロ基が５または６員ヘテロシクロ基を含有する、請求項１に記載の組成物。
【請求項３】
ジヘテロシクロジアゼンジカルボキサミドが式：
【化１】
2017510700.tif 000001
（式中、Ｒ１、Ｒ２、Ｒ３およびＲ４は、アルキル基または水素から選択される、各々同じか異なる基であり、ＡおよびＢは同じまたは異なる３〜５個の炭素原子を有するアルキレン基または１個の窒素原子および２〜４個の炭素原子を有する窒素含有脂肪族基である）を有する、請求項１または２に記載の組成物。
【請求項４】
ジヘテロシクロジアゼンジカルボキサミドが式：
【化２】
2017510700.tif 000002
（式中、Ｒ１、Ｒ２、Ｒ３およびＲ４は、アルキル基または水素から選択される、各々同じか異なる基であり、ＡおよびＢは同じまたは異なる３〜５個の炭素原子を有するアルキレン基である。）を有する、請求項３に記載の組成物。
【請求項５】
ＡおよびＢ中の各々の炭素原子が、場合により、同じ又は異なる基
【化３】
2017510700.tif 000003
（式中、Ｒ５およびＲ６は各々アルキル基および水素から選択される同じまたは異なる。）で置換されてもよい、請求項３または４に記載の組成物。
【請求項６】
Ｒ１、Ｒ２、Ｒ３、Ｒ４、Ｒ５およびＲ６の各々が独立して水素または１〜５個の炭素原子を有するアルキル基である、請求項５に記載の組成物。
【請求項７】
ジヘテロシクロジアゼンジカルボキサミドが、式
【化４】
2017510700.tif 000004
（式中、Ｒ６９、Ｒ７０は各々独立して水素原子または１〜４個の炭素原子を有するアルキル基から選択される。）を有する請求項１〜６のいずれかに記載の組成物。
【請求項８】
ジヘテロシクロジアゼンジカルボキサミドが、アゾジカルボニルジピペリジン、およびメタノン、１，１’−（１，２−ジアゼンジイル）ビス［１−（１−ピロリジニル）−ジイミド］からなる群から選択される、請求項１に記載の組成物。
【請求項９】
ジヘテロシクロジアゼンジカルボキサミドが、アゾジカルボニルジピペリジンである、請求項１に記載の組成物。
【請求項１０】
ジヘテロシクロジアゼンジカルボキサミドが、ジーゼル燃料組成物を基準に、０．００５〜５％の量で存在する、請求項１〜９のいずれかに記載の組成物。
【請求項１１】
ジーゼル燃料組成物に着火遅れを減少させるおよび／またはセタン価を上昇させるための方法であって、該方法は少なくとも一種のジヘテロシクロジアゼンジカルボキサミドの一定量を該組成物に添加することを含む、前記方法。
【請求項１２】
圧縮着火エンジンおよび／または該エンジンにより出力される自動車の操作方法であって、該方法は、エンジンの燃焼室中に請求項１〜１１のいずれかに記載の組成物を導入することを含む、前記方法。
【手続補正書】
【提出日】平成30年3月13日(2018.3.13)
【手続補正１】
【補正対象書類名】特許請求の範囲
【補正対象項目名】請求項５４
【補正方法】変更
【補正の内容】
【請求項５４】
細胞が非ヒト対象内にある、請求項４６または４７に記載の方法。
【手続補正２】
【補正対象書類名】特許請求の範囲
【補正対象項目名】請求項５５
【補正方法】変更
【補正の内容】
【請求項５５】
請求項１〜３８のいずれか一項に記載の化合物、またはその薬剤的に許容できる形態もしくはプロドラッグ、または請求項４５に記載の組成物を含む、ＨＤＡＣ関連障害またはＰＩ３Ｋ関連障害を治療するための薬剤。
【手続補正３】
【補正対象書類名】特許請求の範囲
【補正対象項目名】請求項５６
【補正方法】変更
【補正の内容】
【請求項５６】
請求項１〜３８のいずれか一項に記載の化合物、またはその薬剤的に許容できる形態もしくはプロドラッグ、または請求項４５に記載の組成物を含む、ＨＤＡＣ関連障害およびＰＩ３Ｋ関連障害を治療するための薬剤。
【手続補正４】
【補正対象書類名】特許請求の範囲
【補正対象項目名】請求項５７
【補正方法】変更
【補正の内容】
【請求項５７】
障害が、がん、血管形成障害もしくは病的血管新生、線維症、炎症性疾患、喘息、神経障害、神経変性障害、筋変性疾患、自己免疫障害、血液の障害または骨髄の障害である、請求項５５または５６に記載の薬剤。
【手続補正５】
【補正対象書類名】特許請求の範囲
【補正対象項目名】請求項５８
【補正方法】変更
【補正の内容】
【請求項５８】
障害が、リンパ腫、皮膚Ｔ細胞リンパ腫、濾胞性リンパ腫、もしくはホジキンリンパ腫、子宮頸がん、卵巣がん、乳がん、肺がん、前立腺がん、結腸直腸がん、肉腫、肝細胞癌、白血病もしくは骨髄腫、網膜血管新生疾患、肝線維症、腎線維症、アルツハイマー病もしくはハンチントン病、脊髄性筋萎縮症、ＨＩＶ／エイズ、真性赤血球増加症もしくは本能性血小板血症または骨髄線維症である、請求項５７に記載の薬剤。
【手続補正６】
【補正対象書類名】特許請求の範囲
【補正対象項目名】請求項５９
【補正方法】変更
【補正の内容】
【請求項５９】
対象において追加の治療薬を投与する工程をさらに含む、請求項５５〜５７のいずれか一項に記載の薬剤。
【手続補正７】
【補正対象書類名】特許請求の範囲
【補正対象項目名】請求項６０
【補正方法】変更
【補正の内容】
【請求項６０】
請求項１〜３８のいずれか一項に記載の化合物、またはその薬剤的に許容できる形態もしくはプロドラッグ、または請求項４５に記載の組成物を含む、幹細胞の自己複製または分化を調節するための薬剤。
【手続補正書】
【提出日】平成30年3月9日(2018.3.9)
【手続補正１】
【補正対象書類名】特許請求の範囲
【補正対象項目名】全文
【補正方法】変更
【補正の内容】
【特許請求の範囲】
【請求項１】
自己免疫性疾患を有するまたはその危険がある対象を治療するための、アルファ−４インテグリン拮抗薬との組み合わせで用いられる、ＭＣＡＭ拮抗薬を含む、医薬組成物。
【請求項２】
多発性硬化症を有するまたはその危険がある対象を治療するための、ＭＣＡＭ拮抗薬との組み合わせで用いられる、アルファ−４インテグリン拮抗薬を含む、医薬組成物。
【請求項３】
前記自己免疫性疾患が多発性硬化症である、請求項１又は２に記載の医薬組成物。
【請求項４】
前記アルファ−４インテグリン拮抗薬が、前記アルファ−４インテグリンのＶＣＡＭ−１への結合に拮抗する、請求項１〜３のいずれかに記載の医薬組成物。
【請求項５】
前記アルファ−４インテグリン拮抗薬が、アルファ−４インテグリンに特異的に結合する、請求項４に記載の医薬組成物。
【請求項６】
前記アルファ−４インテグリン拮抗薬が、モノクローナル抗体である、請求項５に記載の医薬組成物。
【請求項７】
前記モノクローナル抗体が、ナタリズマブである、請求項６に記載の医薬組成物。
【請求項８】
前記ＭＣＡＭ拮抗薬が、ＭＣＡＭのラミニン−アルファ−４への結合に拮抗する、請求項１〜７のいずれかに記載の医薬組成物。
【請求項９】
前記ＭＣＡＭ拮抗薬が、ＭＣＡＭに特異的に結合するモノクローナル抗体である、請求項８に記載の医薬組成物。
【請求項１０】
前記ＭＣＡＭ抗体が、１７４９若しくは２１２０、またはそのキメラ型、単板型若しくはヒト化バージョンである、請求項９に記載の医薬組成物。
【請求項１１】
前記アルファ−４インテグリン拮抗薬が、ナタリズマブであり、前記ＭＣＡＭ拮抗薬が、１７４９若しくは２１２０、またはそのキメラ型、単板型若しくはヒト化バージョンである、請求項１〜１０のいずれかに記載の医薬組成物。
【請求項１２】
前記アルファ−４インテグリン拮抗薬及び前記ＭＣＡＭ拮抗薬が、その両方が同時に前記対象の血清内で検出可能であるように、同時に提供される、請求項１〜１１、または１８〜２０のいずれか１つに記載の医薬組成物。
【請求項１３】
前記アルファ−４インテグリン拮抗薬及び前記ＭＣＡＭ拮抗薬が、同時注入により提供される、請求項１２に記載の医薬組成物。
【請求項１４】
前記アルファ−４インテグリン拮抗薬及び前記ＭＣＡＭ拮抗薬が、順番に提供される、請求項１〜１１、または１８〜２０のいずれか１つに記載の医薬組成物。
【請求項１５】
前記アルファ−４インテグリン拮抗薬が最初に提供され、前記対象がアルファ−４インテグリン拮抗薬への耐性を発症し、前記ＭＣＡＭ拮抗薬がその後提供される、請求項１４に記載の医薬組成物。
【請求項１６】
前記ＭＣＡＭ拮抗薬が最初に提供され、前記対象がＭＣＡＭ拮抗薬への耐性を発症し、前記アルファ−４インテグリン拮抗薬がその後提供される、請求項１４に記載の医薬組成物。
【請求項１７】
前記アルファ−４インテグリン及び前記ＭＣＡＭ拮抗薬が、毎週から四半期毎までの間隔で各々提供される、請求項１〜１６、または１８〜２０のいずれか１つに記載の医薬組成物。
【請求項１８】
前記ＭＣＡＭ抗体が、配列番号１００のアミノ酸配列を有する成熟重鎖可変領域と、配列番号８６のアミノ酸配列を有する成熟軽鎖可変領域と、配列番号１０５のアミノ酸配列を有する重鎖定常領域と、配列番号１０１のアミノ酸配列を有する軽鎖定常領域と、を備える、請求項１１に記載の医薬組成物。
【請求項１９】
前記ＭＣＡＭ抗体が、配列番号９３のアミノ酸配列を有する成熟重鎖可変領域と、配列番号９４のアミノ酸配列を有する成熟軽鎖可変領域と、配列番号１０４のアミノ酸配列を有する重鎖定常領域と、配列番号１０２のアミノ酸配列を有する軽鎖定常領域と、を備える、請求項１１に記載の医薬組成物。
【請求項２０】
前記ＭＣＡＭ抗体が、配列番号９３のアミノ酸配列を有する成熟重鎖可変領域と、配列番号９４のアミノ酸配列を有する成熟軽鎖可変領域と、配列番号１０５のアミノ酸配列を有する重鎖定常領域と、配列番号１０２のアミノ酸配列を有する軽鎖定常領域と、を備える、請求項１１に記載の医薬組成物。
【手続補正書】
【提出日】平成30年2月26日(2018.2.26)
【手続補正１】
【補正対象書類名】特許請求の範囲
【補正対象項目名】全文
【補正方法】変更
【補正の内容】
【特許請求の範囲】
【請求項１】
全ブドウエキスと、ハニーブッシュエキス及びブドウ種子エキスの少なくとも1種とを含んでなる有効量のエキス混合物を含む組成物であって、ハニーブッシュエキス及びブドウ種子エキスの少なくとも1種が、全ブドウエキスに関して、ジアシルグリセロールアシルトランスフェラーゼ１(DGAT1)を相乗的に阻害する量で存在する、組成物。
【請求項２】
ハニーブッシュエキスが、PGC1αプロモーター活性を活性化する量で存在し、かつ、ブドウ種子エキスが、SREBP1cプロモーター活性を阻害する量で存在する、請求項１の組成物。
【請求項３】
医薬的、栄養補助的又は美容的に許容できる担体、希釈剤、又は賦形剤をさらに含み、エキス混合物が、組成物の約0.5質量パーセント(wt%)〜約90wt%を構成する、請求項１〜２のいずれか１項の組成物。
【請求項４】
医薬的、栄養補助的又は美容的に許容できる担体、希釈剤、又は賦形剤をさらに含み、エキス混合物が、組成物の活性成分の約0.5質量パーセント(wt%)〜約75wt%、又は、組成物の活性成分の約0.5質量パーセント(wt%)〜約50wt%を構成する、請求項１〜３のいずれか１項の組成物。
【請求項５】
経口投与用であり、錠剤、カプセル剤、散剤、又は顆粒剤として製剤化されている、請求項１〜４のいずれか１項の組成物。
【請求項６】
局所投与用であり、クリーム、ゲル、ローション、噴霧溶液、パッド、包帯、及び経皮パッチとして製剤化されている、請求項１〜５のいずれか１項の組成物。
【請求項７】
対象における食事性脂肪の吸収及び同化を調節する、脂肪組織における脂肪の合成を抑制する、ジアシルグリセロールアシルトランスフェラーゼ１酵素を阻害する、及び/又は、皮脂の産生を調節する、請求項１〜６のいずれか１項の組成物。
【請求項８】
全ブドウエキス対ハニーブッシュエキス又はブドウ種子エキスの比が1:1である、請求項１〜７のいずれか１項の組成物。
【請求項９】
全ブドウエキス対ハニーブッシュエキス又はブドウ種子エキスの比が1:2である、請求項１〜７のいずれか１項の組成物。
【請求項１０】
請求項１〜５及び７のいずれか１項の組成物を含む食品又は飲料。
【請求項１１】
全ブドウエキスと、ハニーブッシュエキス及びブドウ種子エキスの少なくとも1種とを含んでなる有効量のエキス混合物を含む組成物を含んでなる体重管理製品。
【請求項１２】
経口投与用に製剤化されており、活性物質として前記組成物を含む食品又は飲料である、請求項１１の体重管理製品。
【請求項１３】
活性物質として前記組成物を含む医薬品である、請求項１１〜１２のいずれか１項の体重管理製品。
【請求項１４】
局所投与用に製剤化されており、美容用途用に製剤化されている、請求項１１の体重管理製品。
【請求項１５】
医薬的、栄養補助的又は美容的に許容できる担体、希釈剤、又は賦形剤をさらに含み、エキス混合物が、前記組成物の約0.5質量パーセント(wt%)〜約90wt%、前記組成物の約0.5質量パーセント(wt%)〜約75wt%、又は、前記組成物の約0.5質量パーセント(wt%)〜約50wt%を構成する、請求項１１〜１４のいずれか１項の体重管理製品。
【請求項１６】
対象の体重増加を治療、予防、又は管理するための、請求項１〜９のいずれか１項の組成物。
【請求項１７】
対象における脂肪の吸収、運搬、蓄積、産生及び分泌を低減させるための、請求項１〜９のいずれか１項の組成物。
【請求項１８】
対象の体重減少を促進するための、請求項１〜９のいずれか１項の組成物。
【請求項１９】
対象の体重を管理するための、請求項１〜９のいずれか１項の組成物。
【請求項２０】
対象の皮脂産生に関連する皮膚の状態又は障害を治療、予防又は管理するための、請求項１〜９のいずれか１項の組成物。
【請求項２１】
対象のDGAT1を相乗的に阻害するための、請求項１〜９のいずれか１項の組成物。
【手続補正書】
【提出日】平成30年6月7日(2018.6.7)
【手続補正１】
【補正対象書類名】特許請求の範囲
【補正対象項目名】全文
【補正方法】変更
【補正の内容】
【特許請求の範囲】
【請求項１】
−  Ｎ−ビニルピロリドンに由来する７５〜８７モル％の親水性単位と、
−  塩化Ｎ，Ｎ−ジメチルジアリルアンモニウムに由来する１３〜２５モル％のカチオン性単位と
を含む、コポリマー。
【請求項２】
線状ランダムコポリマーであることを特徴とする、請求項１に記載のコポリマー。
【請求項３】
塩化Ｎ，Ｎ−ジメチルジアリルアンモニウムに由来する前記単位と、Ｎ−ビニルピロリドンに由来する前記単位とが、前記コポリマーの単位の約９０〜約１００モル％、たとえば約９５〜約１００モル％、たとえば約９７〜約１００モル％を示すことを特徴とする、請求項１又は２に記載のコポリマー。
【請求項４】
双性イオン単位を実質的に持っていないことを特徴とする、請求項１〜３のいずれか一項に記載のコポリマー。
【請求項５】
アニオン性単位または潜在的にアニオン性の単位を実質的に持っていないことを特徴とする、請求項１〜４のいずれか一項に記載のコポリマー。
【請求項６】
約１０，０００〜約３，０００，０００ｇ／モル、たとえば約２０，０００〜約１，５００，０００ｇ／モルの範囲のモル質量を有することを特徴とする、請求項１〜５のいずれか一項に記載のコポリマー。
【請求項７】
約３５，０００〜５００，０００ｇ／モルの範囲のモル質量を有することを特徴とする、請求項１〜６のいずれか一項に記載のコポリマー。
【請求項８】
−  Ｎ−ビニルピロリドンに由来する７８〜８２モル％の単位と、
−  塩化Ｎ，Ｎ−ジメチルジアリルアンモニウムに由来する１８〜２２モル％の単位と
を含むことを特徴とする、請求項１〜７のいずれか一項に記載のコポリマーであって、
前記コポリマーが、約６５，０００〜約９５，０００ｇ／モル、たとえば約７０，０００〜約９０，０００ｇ／モルの範囲のモル質量を有するコポリマー。
【請求項９】
−  Ｎ−ビニルピロリドンに由来する８３〜８７モル％の単位と、
−  塩化Ｎ，Ｎ−ジメチルジアリルアンモニウムに由来する１３〜１７モル％の単位と
を含むことを特徴とする、請求項１〜７のいずれか一項に記載のコポリマーであって、
前記コポリマーが、約８５，０００〜約１０５，０００ｇ／モル、たとえば約９０，０００〜約１００，０００ｇ／モルの範囲のモル質量を有するコポリマー。
【手続補正書】
【提出日】平成30年3月26日(2018.3.26)
【手続補正１】
【補正対象書類名】特許請求の範囲
【補正対象項目名】全文
【補正方法】変更
【補正の内容】
【特許請求の範囲】
【請求項１】
ｉ）シポニモドを用意するステップと、
ｉｉ）ステップｉ）の化合物を防湿剤および場合によって医薬品添加物と予備ブレンドするステップと、
ｉｉｉ）ステップｉｉ）の混合物を医薬品添加物とブレンドするステップと、
ｉｖ）ステップｉｉｉ）の混合物を剤形に加工するステップと、
ｖ）前記剤形を場合によってフィルムコーティングするステップと
を含むプロセスによって得ることができる剤形。
【請求項２】
０．２〜１２％（ｗ／ｗ）のシポニモド、１〜８％（ｗ／ｗ）の防湿剤および８０〜９８．８％（ｗ／ｗ）の医薬品添加物を含有する、請求項１に記載の剤形。
【請求項３】
シポニモドが遊離塩基の形のシポニモドの量に基づいて、０．２〜１０ｍｇの量で存在している、請求項１または２に記載の剤形。
【請求項４】
シポニモドのインビトロ放出が３０分後に８０％以上である、請求項１から３のいずれか一項に記載の剤形。
【請求項５】
シポニモド粒子径Ｘ９０／Ｘ５０の比が２〜５である、請求項１から４のいずれか一項に記載の剤形。
【請求項６】
前記防湿剤が０．１〜２０、好ましくは１〜１５のｎ−オクタノール／水分配係数（ｌｏｇ  Ｐ）を有する、請求項１から５のいずれか一項に記載の剤形。
【請求項７】
前記防湿剤が、水素化植物油、ヒマシ油、パルミトールステアラート、パルミトステアリン酸グリセリルおよびベヘン酸グリセリルから選択される、請求項１から６のいずれか一項に記載の剤形。
【請求項８】
前記医薬品添加物が、滑沢剤、結合剤、流動化剤、崩壊剤および賦形剤から選択される、請求項１から７のいずれか一項に記載の剤形。
【請求項９】
前記滑沢剤および前記防湿剤が同じ化合物であり、滑沢剤と防湿剤の合計量が１〜１６％（ｗ／ｗ）である、請求項１から８のいずれか一項に記載の剤形。
【請求項１０】
前記剤形の全重量に対して０．２〜１２重量％のシポニモド、
１〜８重量％の防湿剤、
０〜８重量％の滑沢剤、
０〜１０重量％の結合剤、
０〜３重量％の流動化剤、
０〜１０重量％の崩壊剤、および
４９〜９８．７重量％の賦形剤
を含有する、請求項１から９のいずれか一項に記載の剤形。
【請求項１１】
０．２〜１０ｍｇのシポニモド、
０．５〜８ｍｇの防湿剤、
０〜８ｍｇの滑沢剤、
０〜２０ｍｇの結合剤、
０〜６ｍｇの流動化剤、
０〜１５ｍｇの崩壊剤、および
１７．８〜８４．３ｍｇの賦形剤
を含有する、請求項１から１０のいずれか一項に記載の剤形。
【請求項１２】
前記剤形が、９０〜１１０％の含量均一性を有する錠剤である、請求項１から１２のいずれか一項に記載の剤形。
【請求項１３】
０〜４重量％のシポニモドが２５℃、湿度６０％で６か月後に分解される、請求項１から１３のいずれか一項に記載の剤形。
【請求項１４】
剤形を生成するプロセスであって、
ｉ）シポニモドを用意するステップと、
ｉｉ）ステップｉ）の化合物を防湿剤および場合によって医薬品添加物と予備ブレンドするステップと、
ｉｉｉ）ステップｉｉ）の混合物を医薬品添加物とブレンドするステップと、
ｉｖ）ステップｉｉｉ）の混合物を剤形に加工するステップと、
ｖ）前記剤形を場合によってフィルムコーティングするステップと
を含むプロセス。
【請求項１５】
少なくとも２年の２５℃貯蔵寿命を有する固体経口剤形を生成するための、シポニモドおよび防湿剤を含む凝集体の使用。
【手続補正２】
【補正対象書類名】明細書
【補正対象項目名】０１７１
【補正方法】変更
【補正の内容】
【０１７１】
【表１２】
2017510602.tif 000001
本発明は、以下の態様を含む。
［１］
ｉ）シポニモドを用意するステップと、
ｉｉ）ステップｉ）の化合物を防湿剤および場合によって医薬品添加物と予備ブレンドするステップと、
ｉｉｉ）ステップｉｉ）の混合物を医薬品添加物とブレンドするステップと、
ｉｖ）ステップｉｉｉ）の混合物を剤形に加工するステップと、
ｖ）前記剤形を場合によってフィルムコーティングするステップと
を含むプロセスによって得ることができる剤形。
［２］
０．２〜１２％（ｗ／ｗ）のシポニモド、１〜８％（ｗ／ｗ）の防湿剤および８０〜９８．８％（ｗ／ｗ）の医薬品添加物を含有する剤形。
［３］
シポニモドが遊離塩基の形のシポニモドの量に基づいて、０．２〜１０ｍｇの量で存在している、［１］または［２］に記載の剤形。
［４］
シポニモドのインビトロ放出が３０分後に８０％以上である、［１］から［３］のいずれかに記載の剤形。
［５］
シポニモド粒子径Ｘ９０／Ｘ５０の比が２〜５である、［１］から［４］のいずれかに記載の剤形。
［６］
前記防湿剤が０．１〜２０、好ましくは１〜１５のｎ−オクタノール／水分配係数（ｌｏｇ  Ｐ）を有する、［１］から［５］のいずれかに記載の剤形。
［７］
前記防湿剤が、水素化植物油、ヒマシ油、パルミトールステアラート、パルミトステアリン酸グリセリルおよびベヘン酸グリセリルから選択される、［１］から［６］のいずれかに記載の剤形。
［８］
前記医薬品添加物が、滑沢剤、結合剤、流動化剤、崩壊剤および賦形剤から選択される、［１］から［７］のいずれかに記載の剤形。
［９］
前記滑沢剤および前記防湿剤が同じ化合物であり、滑沢剤と防湿剤の合計量が１〜１６％（ｗ／ｗ）である、［１］から［８］のいずれかに記載の剤形。
［１０］
前記剤形の全重量に対して０．２〜１２重量％のシポニモド、
１〜８重量％の防湿剤、
０〜８重量％の滑沢剤、
０〜１０重量％の結合剤、
０〜３重量％の流動化剤、
０〜１０重量％の崩壊剤、および
４９〜９８．７重量％の賦形剤
を含有する、［１］から［９］のいずれかに記載の剤形。
［１１］
０．２〜１０ｍｇのシポニモド、
０．５〜８ｍｇの防湿剤、
０〜８ｍｇの滑沢剤、
０〜２０ｍｇの結合剤、
０〜６ｍｇの流動化剤、
０〜１５ｍｇの崩壊剤、および
１７．８〜８４．３ｍｇの賦形剤
を含有する、［１］から［１０］のいずれかに記載の剤形。
［１２］
前記剤形が、９０〜１１０％の含量均一性を有する錠剤である、［１］から［１２］のいずれかに記載の剤形。
［１３］
０〜４重量％のシポニモドが２５℃、湿度６０％で６か月後に分解される、［１］から［１３］のいずれかに記載の剤形。
［１４］
剤形を生成するプロセスであって、
ｉ）シポニモドを用意するステップと、
ｉｉ）ステップｉ）の化合物を防湿剤および場合によって医薬品添加物と予備ブレンドするステップと、
ｉｉｉ）ステップｉｉ）の混合物を医薬品添加物とブレンドするステップと、
ｉｖ）ステップｉｉｉ）の混合物を剤形に加工するステップと、
ｖ）前記剤形を場合によってフィルムコーティングするステップと
を含むプロセス。
［１５］
少なくとも２年の２５℃貯蔵寿命を有する固体経口剤形を生成するための、シポニモドおよび防湿剤を含む凝集体の使用。
【手続補正書】
【提出日】平成30年8月13日(2018.8.13)
【手続補正１】
【補正対象書類名】特許請求の範囲
【補正対象項目名】全文
【補正方法】変更
【補正の内容】
【特許請求の範囲】
【請求項１】
物体の形状分類方法であって、
第１のＮ個の形状カテゴリを提供し、前記物体に関連付けられた平面内にある第２のＭ＿ｋ個の点を各形状カテゴリにより指定するステップであり、それぞれの点毎に、その平面に直交する方向沿いで少なくとも一通りの限界座標を各形状カテゴリにより指定するステップと、
前記物体の少なくとも１個の表面の、前記平面に直交する方向に沿った位置を、各点にて計測するステップと、
前記少なくとも１個の表面の位置計測結果全てがそれに対応する少なくとも一通りの限界座標と調和しているか否かを形状カテゴリ毎にチェックし、調和しているのであればその個別の形状カテゴリに属するよう前記物体を分類するステップと、
を有する方法。
【請求項２】
請求項１の方法であって、点毎に又は少なくともそれら点の非空部分集合について、前記平面に直交する方向に沿った座標の上限及び下限にそれぞれ対応する二通りの限界座標が提供され、位置計測結果がそれら上限・下限間の座標値に対応しているのならその位置計測結果がそれら二通りの限界座標に調和しているとする方法。
【請求項３】
請求項２の方法であって、各点における前記上限及び下限が前記物体の一表面の位置についての限界座標である方法。
【請求項４】
請求項２の方法であって、前記下限が前記物体の下方表面の位置についての限界座標であり、前記上限がその物体の上方表面の位置についての限界座標である方法。
【請求項５】
請求項１の方法であって、点毎の前記少なくとも一通りの限界座標が、個別の形状カテゴリの定義の一部として提供される基準形状の一部をなす基準表面からの、その個別の点における偏差を以て指定される方法。
【請求項６】
請求項５の方法であって、前記物体の複数個の表面の位置が計測され、それら被計測表面毎に基準表面が提供される方法。
【請求項７】
請求項１の方法であって、前記少なくとも１個の表面の位置の計測に先立ち前記物体を計測することで、その物体の中心の所在、前記平面におけるその物体の回動、並びにその平面に直交する方向に対するその物体の傾斜を求め、その物体の中心の所在、その回動及びその傾斜を用い、各カテゴリにより定義される点をその物体と整列させる方法。
【請求項８】
請求項７の方法であって、前記物体の中心の所在、その物体の前記回動及び前記傾斜が、その物体の基準形状を基準にして判別される方法。
【請求項９】
請求項５の方法であって、前記形状カテゴリのうち少なくとも１個が、
その個別の物体に関連付けられた平面内にありどの物体でも同一な複数個の点にて、前記物体の表面の、前記平面に直交する方向に沿った位置を、物体毎に計測するステップと、
その形状カテゴリに係る基準形状に係り前記平面に直交する方向に沿った各点での座標を、物体毎に個別の点にて計測された表面の位置の平均を以て指定するステップと、
各点にて前記限界座標を指定するステップと、
により、複数個の物体に基づき定義される方法。
【請求項１０】
請求項９の方法であって、各点における偏差を個別の点にて計測された表面の位置の標準偏差の所定倍に等しく設定することにより、前記基準形状からの偏差を以て前記限界座標が指定される方法。
【請求項１１】
請求項９の方法であって、前記物体の中心の所在、その物体の回動及び傾斜が物体毎に判別され、その個別の物体に係る前記複数個の点がその個別の物体の中心との関係で指定される方法。
【請求項１２】
請求項１の方法であって、前記形状カテゴリが前記平面内の前記点に関して附合する方法。
【請求項１３】
請求項５の方法であって、少なくとも１個の形状カテゴリについて前記基準表面がゾーンに分割され、ゾーン毎に共通の偏差が指定される方法。
【請求項１４】
物体の形状分類方法であって、
ａ）Ｎ個の様々な形状カテゴリＣ＿ｋ，１≦ｋ≦Ｎを提供し、基準表面を有する基準形状を各形状カテゴリＣ＿ｋにより指定するステップであり、その基準形状に関連付けられている平面内にＭ＿ｋ個の点があるものとし、前記平面に直交する方向に沿った座標Ｚ＿ｉ，１≦ｉ≦Ｍ＿ｋをＭ＿ｋ個の点それぞれにてその基準表面により与え、更にそうした点毎に座標Ｚ＿ｉからの二通りの偏差ΔＺｕ＿ｉ及びΔＺｄ＿ｉをもその形状カテゴリにより指定するステップと、
ｂ）前記物体及び前記基準形状を互いに整列させるステップと、
ｃ）前記物体の表面の、前記平面に直交する方向に沿った位置を、前記Ｍ＿ｋ個の点それぞれにて計測し、個別の点毎に計測値Ｚｍ＿ｉをもたらすステップと、
ｄ）前記Ｍ＿ｋ個の点についてＺ＿ｉ−ΔＺｄ＿ｉ＜Ｚｍ＿ｉ＜Ｚ＿ｉ＋ΔＺｕ＿ｉが成立するか否かを形状カテゴリＣ＿ｋ毎にチェックし、成立するのであればその個別の形状カテゴリに属するよう前記物体を分類するステップと、
ｅ）形状カテゴリ毎にステップｂ〜ｄを反復するステップと、
ｆ）前記物体の分類に関連する表面毎にステップａ〜ｅを反復するステップと、
を有する方法。
【請求項１５】
物体の形状分類方法であって、
ａ）Ｎ個の様々な形状カテゴリＣ＿ｋ，１≦ｋ≦Ｎを提供し、第１基準表面及び第２基準表面を有する基準形状を各形状カテゴリにより指定するステップであり、その基準形状に関連付けられている平面内にＭ＿ｋ個の点があるものとし、前記平面に直交する方向に沿った座標Ｚ１＿ｉ，１≦ｉ≦Ｍ＿ｋをＭ＿ｋ個の点それぞれにて第１基準表面により与え、その平面に直交する方向に沿った座標Ｚ２＿ｉ，１≦ｉ≦Ｍ＿ｋをＭ＿ｋ個の点それぞれにて第２基準表面により与え、更にそうした点毎に座標Ｚ１＿ｉからの偏差ΔＺ１＿ｉ及び座標Ｚ２＿ｉからの偏差ΔＺ２＿ｉをもその形状カテゴリにより指定するステップと、
ｂ）前記物体及び前記基準形状を互いに整列させるステップと、
ｃ）前記物体の第１表面の、前記平面に直交する方向に沿った位置を、前記各Ｍ＿ｋ個の点それぞれにて計測し、個別の点毎に計測値Ｚ１ｍ＿ｉをもたらすステップと、
ｄ）前記物体の第２表面の、前記平面に直交する方向に沿った位置を、前記各Ｍ＿ｋ個の点それぞれにて計測し、個別の点毎に計測値Ｚ２ｍ＿ｉをもたらすステップと、
ｅ）前記Ｍ＿ｋ個の点それぞれについてＺ１＿ｉ−ΔＺ１＿ｉ＜Ｚ１ｍ＿ｉ及びＺ２ｍ＿ｉ＜Ｚ２＿ｉ＋ΔＺ２＿ｉが成立するか否かを形状カテゴリ毎にチェックし、成立するのであればその個別の形状カテゴリに属するよう前記物体を分類するステップと、
ｆ）形状カテゴリ毎にステップｂ〜ｅを反復するステップと、
を有する方法。